(57)【要約】【課題】電源を必要とせず、利用者に対してコイン投入毎に小物品を利用した遊技を１回だけ行わせ、その遊技結果に応じて景品を提供するようにした手動駆動式の遊技装置を提供する。【解決手段】多数の小物品７を物品滞留手段８に滞留せしめており、物品滞留手段８に臨む始点位置Ｐ１と物品滞留手段８から離れた位置にある受取手段１１に臨む終点位置Ｐ２との間を搬送手段１０が手動操作で往復移動するように構成される。そして搬送手段１０が始点位置Ｐ１から終点位置Ｐ２まで往動した後、該搬送手段１０を始点位置Ｐ１に復動させないように係止するロック手段５９と、コインの投入毎に１回だけ手動で操作可能とされ、操作毎にロック手段５９の係止を解除する解除手段６０を設けた構成である。【選択図】図１１
2008125714.tif 000002
【特許請求の範囲】
【請求項１】
コインを投入することにより操作可能とした遊技装置において、
多数のボール状ガム等の小物品(7)を滞留せしめる物品滞留手段(8)と、
物品滞留手段(8)から離れた位置で複数の小物品(7)を受取る受取手段(11)と、
物品滞留手段(8)に臨む始点位置(P1)で複数の小物品(7)を受給され、受取手段(11)に臨む終点位置(P2)で該小物品(7)を放出するように始点位置(P1)と終点位置(P2)の間を往復移動する搬送手段(10)と、
受取手段(11)から小物品(7)を自重により物品滞留手段(8)に向けて移動させると共に、該移動状態を外部から視認可能とする遊技路(12)と、
前記移動中の小物品(7)を利用することにより遊技を行わせる遊技手段(25)と、
遊技結果に応じて景品を提供する物品提供手段(29)とから構成されており、
前記搬送手段(10)を手動で往復移動させる手動式の駆動手段(50)と、
前記搬送手段(10)が始点位置(P1)から終点位置(P2)まで往動した後、該搬送手段(10)を始点位置(P1)に復動させないように係止するロック手段(59)と、
コインの投入毎に１回だけ手動で操作可能とされ、操作毎に前記ロック手段(59)の係止を解除する解除手段(60)を設けたことを特徴とする遊技装置。
【請求項２】
前記搬送手段(10)は、前記遊技路(12)に隣接して鉛直方向に延設された搬送路(6)に設けられると共に、前記駆動手段(50)に連結された線材(39)で吊下支持された構成であり、
前記搬送手段(10)の往動は、前記駆動手段(50)を介した前記線材(39)の巻き上げ操作によって行われ、前記搬送手段(10)の復動は、前記搬送手段(10)の自重による下降で行われることを特徴とする請求項１記載の遊技装置。
【請求項３】
前記物品滞留手段(8)は前記搬送手段(10)に対して小物品(7)を供給する供給部(9)を有し、
前記搬送手段(10)が始点位置(P1)にあるときには前記供給部(9)を開放して前記物品滞留手段(8)から前記搬送手段(10)への小物品(7)の移動を許容し、前記搬送手段(10)が始点位置(P1)から離れたときには前記供給部(9)を閉鎖して小物品(7)の移動を禁止する閉鎖板(32)を更に設けたことを特徴とする請求項１又は２記載の遊技装置。
【発明の詳細な説明】
【技術分野】
【０００１】
本発明は、コインを投入することにより操作可能とした遊技装置に関する。
【背景技術】
【０００２】
従来、ショッピングセンター等、公衆が往来する場所等には、多種多様な遊技装置が設置されている。このような遊技装置のひとつが特許文献１に開示されている。この遊技装置は、プールに滞留するボールを電動スクリューコンベアによってプール上方の遊技路に搬送する。遊技路には上下多段状に複数の樋部材が設けられており、手動操作で樋部材を傾動させるようになっている。遊技路の下方には遊技用ボールを滞留するプールが設けられている。そしてコインを投入することにより、電動スクリューコンベアが一定時間作動してボールをプールから遊技路に向けて搬送し、搬送路の終点位置でボールを遊技路の始点に投入する。利用者は樋部材を手動操作しながら、ボールを最上段の樋部材から最下段の樋部材に導き、ゴールまで到達させる遊技を行う。そして装置内に設けたセンサが、ボールのゴール到達を検知すると、利用者に賞を提供する構成である。
【０００３】
【特許文献１】特開２００３−１３５８３８号公報
【発明の開示】
【発明が解決しようとする課題】
【０００４】
しかしながら、上記の遊技装置は、電動スクリューコンベア等を作動させるために電源を必要とする。そのため、従来の遊技装置の設置場所は、ショッピングセンターの店内等、必要な電源を確保できる場所に限られるという問題がある。また遊技装置が電源を必要とする場合、利用者が少ない場合でも一定の電気コストが発生するという問題もある。そこで、この種の遊技装置は電源を必要とせず、可動部材は全て手動操作によって駆動される構成であることが好ましい。
【０００５】
ところが、上記のような遊技装置を全て手動駆動式とする場合、コインが投入されない限り、遊技を行うことができないようにするための機構が別途必要である。
【０００６】
本発明は、上記課題に鑑みてなされたものであり、電源を必要とせず、利用者に対してコイン投入毎に小物品を利用した遊技を１回だけ行わせ、その遊技結果に応じて景品を提供するようにした手動駆動式の遊技装置を提供することを目的とする。
【課題を解決するための手段】
【０００７】
上記目的を達成するため、本発明が解決手段として採用したところは、コインを投入することにより操作可能とした遊技装置において、多数のボール状ガム等の小物品を滞留せしめる物品滞留手段と、物品滞留手段から離れた位置で複数の小物品を受取る受取手段と、物品滞留手段に臨む始点位置で複数の小物品を受給され受取手段に臨む終点位置で該小物品を放出するように始点位置と終点位置の間を往復移動する搬送手段と、受取手段から小物品を自重により物品滞留手段に向けて移動させると共に、該移動状態を外部から視認可能とする遊技路と、前記移動中の小物品を利用することにより遊技を行わせる遊技手段と、遊技結果に応じて景品を提供する物品提供手段とから構成されており、前記搬送手段を手動で往復移動させる手動式の駆動手段と、前記搬送手段が始点位置から終点位置まで往動した後、該搬送手段を始点位置に復動させないように係止するロック手段と、コインの投入毎に１回だけ手動で操作可能とされ、操作毎に前記ロック手段の係止を解除する解除手段を設けた構成にある。
【０００８】
かかる構成によれば、コインを投入して解除手段を１回手動操作すれば、ロック手段の係止は解除され、搬送手段はコイン投入後始めて始点位置に復動する。その始点位置で搬送手段は物品滞留手段から複数の小物品を受給される。そして手動式の駆動手段を手動操作することにより、搬送手段を終点位置まで往動させれば、搬送手段から複数の小物品が放出され、遊技路を移動する小物品を利用して遊技を行うことができる。このとき、ロック手段が再び機能し、終点位置まで往動した搬送手段を始点位置まで戻さないように係止してロック状態とする。したがって、利用者はコイン投入毎に小物品を利用した遊技を１回だけ行うことができる。
【０００９】
また本発明の好ましい実施形態において、前記搬送手段は、前記遊技路に隣接して鉛直方向に延設された搬送路に設けられると共に、前記駆動手段に連結された線材で吊下支持された構成であり、前記搬送手段の往動は、前記駆動手段を介した前記線材の巻き上げ操作によって行われ、前記搬送手段の復動は、前記搬送手段の自重による下降で行われる。かかる構成によれば、駆動手段を介した線材の巻き上げ操作を手動で行うことにより、搬送手段は始点位置から終点位置まで往動し、復動については手動操作の必要がなくなる。
【００１０】
また本発明の別の好ましい実施形態は、前記物品滞留手段は前記搬送手段に対して小物品を供給する供給部を有し、前記搬送手段が始点位置にあるときには前記供給部を開放して前記物品滞留手段から前記搬送手段への小物品の移動を許容し、前記搬送手段が始点位置から離れたときには前記供給部を閉鎖して小物品の移動を禁止する閉鎖板を更に設けた構成である。かかる構成によれば、物品滞留手段から搬送手段に小物品を供給する供給部は、搬送手段が始点位置にあるときには開放され、搬送手段が始点位置から離れたときには閉鎖される。
【発明の効果】
【００１１】
本発明に係る遊技装置によれば、遊技を提供するために必要となる全ての動作を利用者の手動操作で行うように構成しているので、近辺に電源が存在しない場合でも設置可能である。そのため店内は勿論のこと、店先や公園、街頭であっても設置できる。
【００１２】
また本発明の遊技装置は、搬送手段が始点位置から終点位置まで往動した後、該搬送手段を始点位置に復動させないように係止するロック手段と、コインの投入毎に１回だけ手動で操作可能とされ、操作毎にロック手段の係止を解除する解除手段とを備えるので、利用者に対してコイン投入毎に小物品を利用した遊技を１回だけ行わせることができる構成である。そのため、利用者がコインを投入せずに遊技を行ったり、或いは１回のコイン投入で複数回の遊技を行うといった不正行為を防止できる。
【００１３】
また搬送手段の往動を線材の巻き上げ操作によって行い、搬送手段の復動を搬送手段の自重による下降で行う構成とすれば、搬送手段の復動については手動操作の必要がなくなるので、手動操作の軽減が図られる。更に、搬送手段が始点位置にあるときには、物品滞留手段から搬送手段に小物品を供給する供給部が開放され、搬送手段が始点位置から離れたときには閉鎖される構成とすれば、物品滞留手段から搬送手段への小物品の供給が適切に行われる。
【発明を実施するための最良の形態】
【００１４】
以下図面に基づいて本発明の好ましい実施形態を詳述する。
【００１５】
図１は遊技装置１の外観を示す斜視図である。遊技装置１は床面に設置可能な箱形本体の上半部に設けた遊技部２と、下半部に設けた操作部３とから構成される。遊技部２は利用者と対面する正面側にガラス製又は樹脂製の透明カバー４が設けられている。透明カバー４の内側には外部から視認可能な遊技空間５と搬送路６が形成されている。遊技空間５の底部は多数のボール状ガム等の球状小物品７を滞留させる物品滞留手段８として構成される。物品滞留手段８の搬送路６に臨む位置には、滞留した小物品７を搬送路６に向けて供給する供給部９が設けられる。
【００１６】
搬送路６は鉛直軸線に沿って上下方向に延設されている。該搬送路６には小物品７を搬送する手動駆動式の搬送手段１０が設けられている。図２は搬送手段１０が最下位置まで下降した状態を示しており、図３は搬送手段１０が最上位置まで上昇した状態を示している。搬送手段１０は、図２の最下位置を始点位置Ｐ１とし、図３の最上位置を終点位置Ｐ２としてこれら始点位置Ｐ１と終点位置Ｐ２との間を往復移動するように構成される。そして搬送手段１０が始点位置Ｐ１に位置するときには、物品滞留手段８と搬送路６との間の供給部９は開放され、物品滞留手段８から複数の小物品が搬送手段１０に流れ込むことで、搬送手段１０に対する小物品７の供給が行われる。そして搬送手段１０を上方に移動させ、図３に示す終点位置Ｐ２まで移動すると、搬送手段１０はその内側に収容した小物品７を遊技空間５に向けて供給する。このとき、物品滞留手段８と搬送路６との間の供給部９は、搬送手段１０と一体的に上下移動する閉鎖板３２によって閉鎖され、物品滞留手段８から搬送路６への小物品７の流出は防止される。
【００１７】
遊技空間５の上部には、搬送手段１０によって終点位置Ｐ２まで搬送されてきた小物品７を搬送手段１０から受け取り、遊技路１２に対して小物品７を供給する受取手段１１が設けられる。遊技路１２は、上段に設けた第１遊技路１３と、下段に設けた第２遊技路１４とに区分けされている。上段の第１遊技路１３は、先端を下降傾斜させた複数の樋状走行路１５を有し、第２遊技路１４に対する小物品７の投入位置を分散させるように構成されている。受取手段１０から第１遊技路１３に導かれる小物品７は自重によって走行路１５を転がった後、第２遊技路１４の上端開口から第２遊技路１４内に導かれる。
【００１８】
第２遊技路１４は正面壁、背面壁及び左右側壁が透明板によって構成され、上端及び下端に小物品７が通過する開口１６，１７が形成されている。また第２遊技路１４の内部には、複数のピン１８が規則的に又は不規則に配置されている。隣接するピン１８，１８間の距離は小物品７の直径よりも大きくすることが必要である。したがって、上端開口１６から第２遊技路１４の内部に導かれる小物品７は、自重により下方に移動していくと共に、移動中はピン１８への衝突を繰り返し、その都度、進路を変化させていく。そして最終的に下端開口１７から物品滞留手段８に向けて落下する。第２遊技路１４の周壁は透明板であるので、このような小物品７の移動は遊技装置１の外部から視認可能である。
【００１９】
第２遊技路１４の下端開口１７と物品滞留手段８との間には、利用者が操作可能な小物品捕捉用のアーム１９が設けられている。第２遊技路１４の下端開口１７から落下する小物品７がアーム１９上に落下すると、その小物品７はアーム１９によって捕捉されて回収される。これに対し、アーム１９に捕捉されなかった小物品７は、再び物品滞留手段８に戻される。
【００２０】
操作部３は、コインを投入するコイン投入部２０と、搬送手段１０の往復移動を操作するための回動ハンドル２３と、獲得した景品を取り出す物品取出部２４と、アーム１９を操作して遊技を行うための遊技手段２５とを備えている。コイン投入部２０はコインを１枚毎に投入可能な投入口２１と、所定枚数のコイン投入毎に１回転の回転操作が可能となる回転ノブ２２とを備えている。遊技手段２５は物品滞留手段８の前方側に隣接して設けられたハウジング２６を備えると共に、そのハウジング２６の上面で左右方向に延びて形成されたスリット２７に装着された操作体２８を備えている。操作体２８はスリット２７に沿って左右方向に摺動自在に構成されている。利用者が該操作体２８を掴んだ状態で左右方向に移動操作することにより、アーム１９が第２遊技路１４の下端開口１７と物品滞留手段８との間を左右方向に移動し、下端開口１７の任意の位置から落下する小物品を捕捉できるようになっている。
【００２１】
図４はコイン投入前の遊技装置１の初期状態を示す図である。この状態では、後述するロック手段５９が機能しており、搬送手段１０は始点位置Ｐ１と終点位置Ｐ２の中間位置Ｐ３に位置し、該中間位置Ｐ３よりも下方に搬送手段１０が下降することが規制される。図４に示す状態において投入口２１にコインを投入して、回転ノブ２２を１回転すると、ロック手段５９によるロック状態が解除され、搬送手段１０が自重により搬送路６を下降して始点位置Ｐ１に復帰する（図２参照）。そして搬送手段１０に複数の小物品７が収容されたことを確認した後、回動ハンドル２３を所定方向に回動操作すると、搬送手段１０は小物品７を収容したままで搬送路６に沿って上昇移動していき、終点位置Ｐ２に達すると、小物品７を受取手段１１に供給する（図３参照）。受取手段１１に供給される複数の小物品７の大部分は遊技路１２に導かれ、第１遊技路１３及び第２遊技路１４を自重によって移動していく。利用者は遊技路１２内の小物品７の移動を見ながら、操作体２８を操作することにより、アーム１９で小物品７を捕捉する遊技を楽しむことができるようになっている。物品取出部２４は、このような遊技結果に応じて利用者に景品を提供する物品提供手段２９として設けられている。本実施形態では、アーム１９によって捕捉された小物品７を物品取出部２４に供給し、これを景品として利用者に提供する場合を例示するが、必ずしもこのような態様には限られず、アーム１９によって捕捉された小物品７の数に応じて小物品７とは異なる物品を景品として利用者に提供するようにしてもよい。
【００２２】
図５及び図６は搬送手段１０の詳細構成を示す図である。搬送手段１０は、小物品７を収容して搬送する搬送部３０と、該搬送部３０の背面側に設けられたスライド板３１と、搬送部３０の下部から下方に向けて延設した閉鎖板３２とを備えている。搬送部３０は、小物品７を収容する収容空間が仕切壁３３によって２つに区成されており、少なくとも１個の小物品７を収容して搬送可能な第１搬送部３４と、前記第１搬送部３４よりも大容量で複数の小物品７を収容して搬送可能な第２搬送部３５とを有している。これら第１及び第２搬送部３４，３５はいずれも遊技空間５に臨む面が開放された構成である。そして搬送手段１０が始点位置Ｐ１にあるときには物品滞留手段８からそれぞれの搬送部３４，３５に小物品７が受給され、終点位置Ｐ２にあるときには第１搬送部３４及び第２搬送部３５に収容された小物品７が受取手段１１に提供される。また第１搬送部３４及び第２搬送部３５には小物品７が残留しないように、各搬送部３４，３５の底部は遊技空間５に向かって下降傾斜している。
【００２３】
スライド板３１は、図６に示す如く、その背面側に転動ボール３６を備えたスライダ３７が設けられている。一方、搬送路６には上下方向にガイドレール３８が延設されている。該ガイドレール３８に対してスライド板３１のスライダ３７を摺動自在に装着することにより、搬送手段１０はガイドレール３８に沿って上下方向に往復移動するようになっている。また該搬送手段１０の往復移動を駆動するため、スライド板３１の上部前面側に搬送手段１０を吊下支持する、ロープ、紐、ワイヤ等の柔軟な線材３９の一端が取り付けられている。
【００２４】
閉鎖板３２は搬送路６において遊技空間５に接近した位置に設けられている。搬送手段１０が上下方向に移動すると、これと一体的に閉鎖板３２も上下移動する。この閉鎖板３２の上下方向長さＬは、搬送手段１０が終点位置Ｐ２にあるとき、該閉鎖板３２が少なくとも物品滞留手段８と搬送路６との間の供給部９を閉鎖できる程度の長さである。したがって、搬送手段１０が始点位置Ｐ１と終点位置Ｐ２の間を移動する際には、閉鎖板３２が供給部９を閉鎖し、物品滞留手段８から搬送路６への小物品７の移動が規制される。搬送手段１０が始点位置Ｐ１にあるときには閉鎖板３２は供給部９を開放し、物品滞留手段８から搬送部３０への小物品７の受給が行われる。
【００２５】
図７は搬送手段１０が始点位置Ｐ１にあるときの状態を示す図である。上述の如く、搬送手段１０は始点位置Ｐ１にあるとき、物品滞留手段８と搬送路６の間の供給部９は開放され、物品滞留手段８から搬送部３０への小物品７の受給が行われる。このとき第１搬送部３４には少なくとも１個の小物品７が供給され、第２搬送部３５には第１搬送部３４よりも多くの小物品７が供給される。供給部９の上方において遊技空間５と搬送路６の間には、透明の仕切板４０が設けられている。そして仕切板４０の下端部４１は、物品滞留手段８に向かって若干傾斜させている。仕切板４０の下端部４１を図例の如く傾斜させた構成によれば、搬送手段１０を始点位置Ｐ１から上昇させるときに、搬送部３０に収容する小物品７と、物品滞留手段８に残留する小物品７との縁切りをスムーズに行うことができ、供給部９に小物品７が詰まることを防止できる。
【００２６】
図８は搬送手段１０を始点位置Ｐ１から若干上昇させた状態を示す図である。搬送手段１０を始点位置Ｐ１から上昇させると、図示の如く仕切板４０が搬送部３０の開放された側面を覆うので搬送部３０から小物品７が落下することはない。そのため搬送手段１０は搬送部３０において小物品７を収容した状態で上昇する。そして搬送手段１０の上昇に伴い、閉鎖板３２が物品滞留手段８の供給部９を閉鎖する。そのため搬送手段１０が始点位置Ｐ１から離れたときには、閉鎖板３２が物品滞留手段８から搬送路６に向かう小物品７の移動を禁止する。
【００２７】
図９は搬送手段１０が終点位置Ｐ２にあるときの状態を示す図である。受取手段１１は、搬送手段１０の第１搬送部３４から小物品７を受け取る第１受取部４２と、第２搬送部３５から小物品７を受け取る第２受取部４３とが区成された構成である。第１受取部４２は、第１搬送部３４から受け取った小物品７を連通路４６に導き、第１遊技路１３の背面壁４４に設けた凹部４５を介して背面壁４４の裏面側に導入する。そして遊技路１２を経由することなく、遊技路１２の背面側に設けた別のバイパス路を経由させて小物品７を物品取出部２４に移動させるように構成している。
【００２８】
図１０は遊技路１２の背面側を示し、バイパス路４８の構成を示す図である。第１搬送部３４から第１受取部４２に供給された小物品７は連通路４６を介して遊技路１２の背面側のバイパス路４８に導かれる。背面壁４４の凹部４５から遊技路１２の背面側に落下する小物品７は傾斜した第１バイパス路４８ａに導かれる。そして小物品７は第１バイパス路４８ａの傾斜面を転がり、上下方向に延設した第２バイパス路４８ｂに導かれる。そして第２バイパス路４８ｂに沿って下方に移動した後、小物品７は第３バイパス路４８ｃを経て物品取出部２４の装置内側に設けられたトレー状の物品収容部２４ａに導かれる。尚、第３バイパス路４８ｃは物品滞留手段８の下方に設けられる。このようにバイパス路４８を通る小物品７は、物品提供手段２９を構成する物品収容部２４ａに導かれ、物品取出部２４から必ず取り出すことができるようになる。そのため、搬送手段１０の第１搬送部３４に収容されて搬送される小物品７は、利用者が必ず入手することができる小物品となる。それ故に、搬送手段１０が始点位置Ｐ１において物品滞留手段８から小物品７を供給されたとき、第１搬送部３４に供給された小物品７はその時点で利用者への提供が確定した購入物品となる。
【００２９】
図９に戻り、第２受取部４３は第２搬送部３５から受け取った小物品７を連通路４７に導く。連通路４７は第１遊技路１３の最上段の走行路１５に連通しており、第２搬送部３５において搬送されてきた小物品７を遊技物品として遊技路１２に供給する。搬送手段１０によって搬送される小物品７の大部分は、第２搬送部３５で搬送され、第２受取部４３及び連通路４７を介して遊技路１２に導かれる。遊技路１２に導かれた小物品７はそれぞれ異なる経路を辿りながら移動していく。そして小物品７はそれぞれ異なるタイミングで第２遊技路１４の下端開口１７から落下するので、アーム１９をタイミング良く左右方向に移動させれば、多くの小物品７を捕捉できる。
【００３０】
ところで、利用者が遊技路１２における小物品７の移動を目視しながら、操作体２８の操作を行ったとしても、アーム１９で小物品７を全く捕捉できない場合がある。その場合、利用者が遊技によって捕捉した小物品７の数は０個である。しかし、仮に利用者が遊技において小物品７を捕捉することができなかったとしても、上記バイパス路４８を経由して物品収容部２４ａに導かれる小物品７は必ず利用者に提供される。そのため利用者は少なくとも１個の小物品は景品として入手できるようになっている。
【００３１】
図１１は遊技装置１の内部に設けた手動式の駆動手段５０を示す図である。駆動手段５０は、上述の回転ハンドル２３と、該回転ハンドル２３の回転操作に伴って回転する回転軸５１と、該回転軸５１に装着され供回りする巻上リール５２と、滑車５３，５４と、鉛直方向に設けたガイド部材５５に沿って上下にスライド自在な遊動滑車５６と、滑車５７，５８とを備えている。搬送手段１０の上部に連結されて搬送手段１０を吊下支持する線材３９は、滑車５８，５７を介して遊技装置１の内部を下方に導かれ、遊動滑車５６を介して更に上方に折り返された後、滑車５４，５３を介して巻上リール５２に巻回されている。したがって、回転ハンドル２３を図中Ｒ１方向に回転することにより、巻上リール５２は線材３９を巻き取っていき、搬送手段１０は始点位置Ｐ１から終点位置Ｐ２に向かって移動していく。そして搬送手段１０が終点位置Ｐ２に達するとそれ以上の巻取操作は規制され、回転ハンドル２３のＲ１方向への回転操作は禁止される。搬送手段１０が終点位置Ｐ２にあるとき、利用者が回転ハンドル２３から手を離すと、搬送手段１０は自重によって搬送路６を下降していく。このとき巻上リール５２は線材３９の張力を受けて、巻取方向とは逆方向に回転し、線材３９を滑車５３に導出させていく。またこのとき回転ハンドル２３は巻上リール５３の逆転と共に、Ｒ１方向とは反対の方向に回転する。遊動滑車５６は搬送手段１０の往動時或いは復動時の移動速度を低下させるための制動手段として設けられている。遊動滑車５６は、巻回された線材３９の加速度が大きくなるとガイド部材５５に沿って上昇移動し、小さくなると自重によってガイド部材５５の下部に移動する。このような遊動滑車５６の上下動Ｖ１により、搬送手段１０の急激な移動や、回転ハンドル２３の急激な回転が抑制されている。また、復動中の搬送手段１０が急停止したとき、回転軸５１の慣性により線材３９が弛むが、遊動滑車５６が自重で下降することにより線材３９のテンションを維持する。
【００３２】
搬送路６の下部には、搬送手段１０が始点位置Ｐ１から終点位置Ｐ２まで往動した後、搬送手段１０が始点位置Ｐ１まで戻らないようにするためのロック手段５９が設けられている。該ロック手段５９は閉鎖板３２の下端に係止することにより、搬送手段１０が始点位置Ｐ１と終点位置Ｐ２の中間位置Ｐ３（図４参照）よりも下方に下降することを規制する。
【００３３】
ロック手段５９に対向する位置には、ロック手段５９による閉鎖板３２の係止状態を解除する解除手段６０が配置されている。解除手段６０は、コイン投入部２０の回転ノブ２２に連結されたリンク機構６５と、ロック手段５９に対向する位置で水平に設置されたガイドステージ６６と、該ガイドステージ６６に沿って水平なＨ１方向にスライド自在なスライダ６７と、該スライダ６７の先端に固着されたロッド６８から成る。回転ノブ２２がＲ２方向に１回転することにより、解除手段６０はリンク機構６５を介してロッド６８をロック手段５９に向けて進退させ、ロック手段５９による閉鎖板３２の係止状態を解除する。
【００３４】
図１２乃至図１４はコイン投入部２０の背面側から見たロック手段５９及び解除手段６０を示しており、解除手段６０による解除動作を示す図である。ロック手段５９は、係止部材６１と、コイルバネ等の付勢手段６２と、係止部材６１の周縁を支持する支持部材６３から成る。付勢手段６２は係止部材６１を閉鎖板３２の移動経路に向かって付勢している。図１２はロック手段５９による閉鎖板３２の係止状態を示しており、付勢手段６２によって付勢された係止部材６１が閉鎖板３２の移動経路内に進入して閉鎖板３２の下端３２ａを係止している。一方、コイン投入部２０の背面側には、回転ノブ２２と同軸の爪車６４ａと、該爪車６４ａの周縁の凹部と噛み合う爪部材６４ｂと、該爪部材６４ｂの先端を爪車６４ａに向けて付勢する板バネ等の付勢手段６４ｃとから成るラチェット機構６４が設けられている。ラチェット機構６４は回転ノブ２２がＲ２方向の一方向のみに回転することを許容し、その逆方向への回転を規制する。リンク機構６５は、回転ノブ２２と供回りする第１リンク部材６５ａと、一端が第１リンク部材６５ａの先端に枢着されると共に他端がスライダ６７から突出する係合部６７ａに枢着された第２リンク部材６５ｂを備えて構成される。そして回転ノブ２２のＲ２方向への回転に伴い、リンク機構６５はスライダ６７をロック手段５９に向けて進行させていく。これに伴いスライダ６７に取り付けたロッド６８は先端６８ａを係止部材６１に接近させていく。そして回転ノブ２２が更にＲ２方向へ回転すると、ロッド６８の先端６８ａは係止部材６１の先端に当接して、付勢手段６２の付勢力に抗して係止部材６１を押し込み、閉鎖板３２の移動経路内から退行させる。
【００３５】
図１３は解除手段６０がロック手段５９による閉鎖板３２の係止状態を解除した直後の状態を示している。係止部材６１が閉鎖板３２の移動経路内から退行すると、閉鎖板３２は下端３２ａが係止部材６１に係止された状態から解放され、搬送手段１０を含む自重によって下方に移動する。このとき、ロッド６８は係止部材６１を押し込んだ状態にあり、閉鎖板３２の移動経路内にはロッド６８の先端が位置するため、閉鎖板３２の下端３２ａは一時的にロッド６８に支持される。そして回転ノブ２２を更にＲ２方向へ回転させると、リンク機構６５がスライダ６７を引き戻す。これに伴いロッド６８は閉鎖板３２の移動経路から退行する。ロッド６８が閉鎖板３２の移動経路から退くことにより、閉鎖板３２は更に下降し、図１４に示す如く、閉鎖板３２の下端３２ａが遊技装置１の底部１ｂまで下降した状態となる。このとき搬送手段１０は始点位置Ｐ１に復帰する。このような解除手段６０による解除動作は、回転ノブ２２をＲ２方向に１回転させることにより行われる。
【００３６】
図１４の状態で、上述の回転ハンドル２３を回転操作すれば、搬送手段１０は始点位置Ｐ１から終点位置Ｐ２に向かって上昇し、それに伴って閉鎖板３２も上昇する。そして閉鎖板３２の下端３２ａがロック手段５９の位置を超えて上昇すると、係止部材６１が再び閉鎖板３２の移動経路内に進入する。その後、閉鎖板３２が下降するときには、閉鎖板３２の下方に進出した係止部材６１によって下端３２ａが再び係止され、ロック状態となる。
【００３７】
図１５はコイン投入部２０の概念的側面図であり、コイン投入毎に回転ノブ２２を１回転だけ操作可能とする構成の一例を示す。遊技装置１の正面壁１ａと爪車６４ａの間には、回転ノブ２２と同軸で、かつ爪車６４ａと一体的に回転する回転盤７０が設けられる。該回転盤７０の周縁部には、周方向に沿って凹部７１と突部７２が隣接して設けられる。また回転盤７０の周縁部には盤面に向けて付勢された付勢桿７３が設けられる。図例において実線で示す付勢桿７３は凹部７１に嵌入した状態Ｓ１を示している。付勢桿７３には図示を省略する機械的な連動機構によってコイン投入に連動して一時的に付勢力に抗する駆動力が作用するように構成されている。この駆動力は凹部７１に嵌入した付勢桿７３を凹部７１から引き上げ、突部７２を乗り越えた位置に移動させる。したがって、コイン投入前において付勢桿７３は凹部７１に嵌入した状態Ｓ１にあり、凹部７１の壁部と付勢桿７３との接触によって回転ノブ２２がＲ２方向に回転することを規制する。またコイン投入後において付勢桿７３は突部７２を乗り越えた状態Ｓ２となり、回転ノブ２２がＲ２方向に回転する場合に付勢桿７３と干渉する障壁等は存在しない状態となる。そのため、コイン投入後の状態Ｓ２においては回転ノブ２２をＲ２方向に１回転だけ操作することができる。そして回転ノブ２２が１回転すると、付勢桿７３は付勢力によって再び凹部７１に嵌入した状態Ｓ１となる。このようにコイン投入毎に回転ノブ２２を１回転だけ操作可能としているので、上述の解除手段６０はコイン投入毎に１回だけ手動で操作可能とされ、その操作毎にロック手段５９の係止を解除する。そして遊技装置１は、コイン投入毎に１回の遊技が行えるように構成される。
【００３８】
図１６乃至図２０は遊技手段２５の内部構造を示す図である。遊技手段２５は操作体２８を左右方向に摺動させることにより、アーム１９を左右方向に往復移動させる往復移動機構８０を備えている。この往復移動機構８０は、ハウジング２６と、操作体２８と、ハウジング２６の内側に設けられた摺動体８１と、摺動体８１に従動する従動体８３とから構成されている。
【００３９】
ハウジング２６は、平板壁２６ａと、該平板壁２６ａの左右両端に位置する端部壁２６ｂ，２６ｃと、遊技装置１の正面側に位置する正面壁２６ｄと、ハウジング内部と物品滞留手段８とを区成する区成壁２６ｅを備えている。ハウジング２６の上部に位置する平板壁２６ａには、上述のように端部壁２６ｂ，２６ｃの間で左右方向に延びるスリット２７が設けられている。ハウジング２６の正面壁２６ｄの内側には左右方向に延びるガイドレール８４が設けられる。そしてこのガイドレール８４に、左右方向に摺動自在な平板状の摺動体８１が設けられている。摺動体８１の上部は平板壁２６ａのスリット２７に挿通されており、ハウジング内部から外側に突出する。そして摺動体８１はスリット２７に沿って左右方向に摺動自在な構成である。操作体２８はスリット２７を介してハウジング２６の外側に突出した摺動体８１の上部に取り付けられている。
【００４０】
ハウジング２６の内側において摺動体８１には従動板８２が取り付けられており、該従動板８２は摺動体８１と一体的に左右方向に移動する。従動板８２には遊技の際に小物品７を捕捉するアーム１９の基端部が固着されており、アーム１９も摺動体８１と一体的に左右方向に移動する。そのため、従動板８２及びアーム１９はハウジング２６の内側で摺動体８１に取り付けられ、摺動体８１に従動する従動体８３を構成する。
【００４１】
ハウジング２６の区成壁２６ｅには、部壁２６ｂ，２６ｃの間で左右方向に延びるスリット７５が設けられている。このスリット７５にはアーム１９が挿通されており、摺動体８１に従動するアーム１９が該スリット７５に沿って左右方向に移動する。そしてスリット７５の一端部にはアーム１９が捕捉した小物品７をハウジング２６の内側に導くための開口７６が形成されている。遊技中にアーム１９が小物品７を捕捉した場合、操作体２８を介してアーム１９を開口７６の位置に移動させることにより、捕捉した小物品７をハウジング内部に落下させることができる。そしてハウジング内部に落下した小物品７は物品収容部２４ａ（図１０参照）に導かれる。
【００４２】
上記の往復移動機構８０は、スリット２７を介してゴミ等の異物がハウジング２６の内部に侵入する可能性がある。そこで本実施形態の遊技装置１は、スリット２７からの異物侵入を防ぐため、ハウジング２６の内側からスリット２７を全長にわたり被覆する可撓性のテープ状被覆材８５を備えている。このテープ状被覆材８５は摺動体８１に固定されており、摺動体８１の移動に同行して該テープ状被覆材８５の被覆面８５ａを平板壁２６ａの内側面に沿って摺動するように構成されている。図１７に示す如く、平板壁２６ａの内側にはテープ状被覆材８５の被覆面８５ａをスリット２７に近接させた状態で支持する支持板７７が設けられている。テープ状被覆材８５は該支持板７７によって支持された状態でスリット２７に沿って摺動する。尚、支持板７７はスリット２７の全長にわたって設けておくことが好ましい。
【００４３】
図１８乃至図１９はそれぞれ遊技手段２５を正面側からみた断面図である。そして図１８は摺動体８１をスリット２７のほぼ中央に位置させた状態を、図１９は摺動体８１をスリット２７の端部２７ｂに位置させた状態を、図２０は摺動体８１をスリット２７の端部２７ａに位置させた状態を示している。テープ状被覆材８５は、摺動体８１から一方向に延びる第１延長部８６を有すると共に、摺動体８１から他方向に延びる第２延長部８８を有している。第１延長部８６は、図１９に示す如く摺動体８１をスリット２７の端部２７ｂに位置させた状態で、スリット２７の全長を超えて延びる長さを有している。この状態で、第１延長部８６の延長端は、ハウジング２６の端部壁２６ｂの内側に当接すると共に、ほぼＵ形に折返された第１ガイド部８７を構成する。そして摺動体８１をスリット２７の端部２７ａに向けて移動させると、図１８に示す状態を経て図２０に示す状態となる。このとき摺動体８１の移動に伴って、第１延長部８６は端部壁２６ｂとの当接状態を維持しながら、第１ガイド部８７に沿ってＵ形に折返されていく。そしてその折返し長さを次第に大きくしていく。
【００４４】
また第２延長部８８は、図２０に示す如く摺動体８１をスリット２７の端部２７ａに位置させた状態で、スリット２７の全長を超えて延びる長さを有している。この状態で、第２延長部８８の延長端は、ハウジング２６の端部壁２６ｃの内側に当接すると共に、ほぼＵ形に折返された第２ガイド部８９を構成する。そして摺動体８１をスリット２７の端部２７ｂに向けて移動させると、図１８に示す状態を経て図１９に示す状態となる。このとき摺動体８１の移動に伴って、第２延長部８８は端部壁２６ｃとの当接状態を維持しながら、第２ガイド部８８に沿ってＵ形に折返されていく。そしてその折返し長さを次第に大きくしていく。
【００４５】
したがって、摺動体８１をスリット２７の両端部２７ａ，２７ｂの間で移動させた場合であっても、テープ状被覆材８５は第１ガイド部８７及び第２ガイド部８９によってハウジング内部でスムーズに折り返されるように案内される。そしてテープ状被覆材８５は平板壁２６ａの内側から常にスリット２７の全域を被覆するので、スリット２７からのハウジング内への異物の侵入を防止する。そのため往復移動機構８０にゴミ等が詰まってスムーズな摺動操作が行えなくなることを防止できる。特に小物品７がボール状ガム等の食品である場合に、捕捉した小物品７にゴミ等が付着することを防止できるので、食品衛生上好ましい。
【００４６】
また図１８乃至図２０に示す如く、平板壁２６ａの内側には、スリット２７の端部２７ａの近傍位置に第１ブラシ９１が設けられており、スリット２７の端部２７ｂの近傍位置に第２ブラシ９２が設けられている。第１ブラシ９１は、テープ状被覆材８５の第１延長部８６がほぼＵ形に折返される第１ガイド部８７の近傍で、該第１延長部８６の被覆面８５ａに当接している。また第２ブラシ９２は、テープ状被覆材８５の第２延長部８８がほぼＵ形に折返される第２ガイド部８９の近傍で、該第２延長部８８の被覆面８５ａに当接している。かかる構成によれば、摺動体８１をスリット２７に沿って摺動させると、これに伴って第１延長部８６及び第２延長部８８の被覆面８５はそれぞれ第１ブラシ９１及び第２ブラシ９２に当接した状態で移動する。そのため摺動体８１が摺動する都度、テープ状被覆材８５の被覆面８５ａがブラシ９１，９２によって清掃される。即ち、スリット２７を介してテープ状被覆材８５の被覆面８５ａに付着したゴミ等の異物は、それらブラシ９１，９２によって掻き取られる。それ故、往復移動機構８０にゴミ等が付着することはなく、常にスムーズな往復移動が行える。またＵ形に折返された第１ガイド部８７又は第２ガイド部８９は常にクリーンな状態に保たれるので、ハウジング２６の内部に導かれる捕捉した小物品７が第１ガイド部８７又は第２ガイド部８９に接触する場合であっても、小物品７にゴミ等の異物が付着することを防止できる。
【００４７】
次に図２１は遊技路１２を取り外した状態を遊技装置１の正面から見た図である。また図２２は遊技路１２の背面側の構成を示す断面図である。遊技装置１にコイン投入をして遊技が行われると、物品滞留手段８に滞留する小物品７の数は減少する。そのため遊技装置１は、遊技路１２の背面側に多数の小物品７をストックするストッカ９５を設けている。このストッカ９５は、遊技が行われることによって物品滞留手段８に滞留する小物品７が減少すると、逐次、物品滞留手段８に対して小物品７を補充するように構成される。またストッカ９５は、その内部にストックする小物品７を遊技装置１の外部から視認可能とされ、利用者に対して小物品の獲得意欲を掻き立てるように構成されている。より具体的に説明すると、ストッカ９５は、遊技空間５の背面壁９６と、該背面壁９６と遊技路１２の間に設けた２枚の透明板９７，９８から成る。透明板９７は遊技路１２の背面側で遊技路１２に近接する位置に設けられ、透明板９８は透明板９７と背面壁９６の中央に設けられる。そのためストッカ９５は透明板９７と９８で区成された第１ストック空間９５ａと、透明板９８と背面壁９６で区成された第２ストック空間９５ｂとを備えている。第１ストック空間９５ａは遊技装置１の正面側に位置し、第２ストック空間９５ｂは遊技装置１の背面側に位置している。透明板９７，９８の下端は、物品滞留手段８の底部８ａよりも所定高さだけ上方位置に設けられており、物品滞留手段８に山積した状態で滞留する小物品７の山積高さを規定している。即ち、ストッカ９５の下端部は物品滞留手段８に連通しており、その下端部から物品滞留手段８に小物品７を供給する。
【００４８】
ストッカ９５の正面側に設けられた第１ストック空間９５ａには、下向きに傾斜する複数の傾斜板９９ａ，９９ｂ，９９ｃが第１ストック空間９５ａを横断するように設けられている。これら傾斜板９９ａ，９９ｂ，９９ｃは、第１ストック空間９５ａの上部から下部にかけて上下に間隔をあけて配置されており、ストッカ９５の相対向する左右の壁部から交互に突出する。したがって、第１ストッカ空間９５ａには上部から下部に向かって小物品７のジグザグ路が形成される。このジグザグ路は、第１ストッカ空間９５ａに山積される小物品の荷重を分散させ、物品滞留手段８に滞留する小物品７に過度の荷重がかかることを防止する。仮にジグザグ路が無い場合を想定すると、ストッカ９５に山積する多数の小物品の全荷重が物品滞留手段８の小物品にかかり、物品滞留手段８において小物品が移動しなくなるという問題が生じる。複数の傾斜板９９ａ，９９ｂ，９９ｃによるジグザグ路はそのような問題を解消し、物品滞留手段８における小物品のスムーズ移動を確保するのである。尚、図例では第２ストック空間９５ｂに傾斜板を設けていないが、第１ストック空間９５ａと同様にそれらを設けてもよい。
【００４９】
また中央の透明板９８には複数の連通窓１００が異なる高さ位置に設けられている。これら連通窓１００は、第１ストック空間９５ａから第２ストック空間９５ｂへの小物品７の移動、或いは第２ストック空間９５ｂから第１ストック空間９５ａへの小物品７の移動を許容する。
【００５０】
したがって、ストッカ９５の上端の投入口１０１より多数の小物品７を投入すると、ストッカ９５の下端部を介して物品滞留手段８に小物品７が供給される。そして物品滞留手段８に十分な小物品７が供給されると、その後は第１ストック空間９５ａ及び第２ストック空間９５ｂの各々に多数の小物品７が山積していく。このとき、連通窓１００は一方のストック空間における山積量が多く、他方が少ない場合に小物品を移動させる。そのため１ストック空間９５ａと第２ストック空間９５ｂは大きな偏りのない状態で小物品をストックする。そしてストッカ９５の上端付近まで小物品７を山積しておけば、頻繁に小物品を補充する必要がなくなる。また遊技装置１の外部からは多くの小物品がストックされていることを視認できるので、利用者の獲得意欲を掻き立てる。そして、コインが投入され、遊技が行われることにより、物品滞留手段８の小物品が減少していくと、上記構成のストッカ９５から物品滞留手段８に小物品が供給されるので、物品滞留手段８には常に十分な量の小物品を滞留させておくことができる。
【図面の簡単な説明】
【００５１】
【図１】遊技装置の外観を示す斜視図である。
【図２】遊技装置において搬送手段が最下位置（始点位置）に移動した状態を示す図である。
【図３】遊技装置において搬送手段が最上位置（終点位置）に移動した状態を示す図である。
【図４】コイン投入前の遊技装置の初期状態であり、搬送手段が始点位置と終点位置の中間位置にある状態を示す図である。
【図５】搬送手段の詳細構成を示す図である。
【図６】搬送手段の詳細構成を示す図である。
【図７】搬送手段が始点位置にあるときの小物品の受給状態を示す図である。
【図８】図７の状態から搬送手段を若干上昇させた状態を示す図である。
【図９】搬送手段が終点位置にあるときの小物品の放出状態を示す図である。
【図１０】遊技路の背面側に設けたバイパス路の構成を示す図である。
【図１１】遊技装置に設けた手動式の駆動手段を示す図である。
【図１２】コイン投入部の背面側から見たロック手段及び解除手段を示し、ロック手段の解除前の状態を示す図である。
【図１３】コイン投入部の背面側から見たロック手段及び解除手段を示し、解除手段がロック手段の係止状態を解除した直後の状態を示す図である。
【図１４】コイン投入部の背面側から見たロック手段及び解除手段を示し、解除手段がロック手段の係止状態を完全に解除した状態を示す図である。
【図１５】コイン投入部の概念的側面図であり、コイン投入毎に回転ノブを１回転だけ操作可能とする構成例を示す図である。
【図１６】遊技手段の内部構造を示す斜視図である。
【図１７】遊技手段の内部構造を示す断面図である。
【図１８】摺動体がスリットのほぼ中央に位置する状態の遊技手段の内部構造を示す断面図である。
【図１９】摺動体がスリットの一方の端部に位置する状態の遊技手段の内部構造を示す断面図である。
【図２０】摺動体がスリットの他方の端部に位置する状態の遊技手段の内部構造を示す断面図である。
【図２１】遊技路を取り外した状態を遊技装置の正面から見た図である。
【図２２】遊技路の背面側に設けたストッカの構成を示す断面図である。
【符号の説明】
【００５２】
１  遊技装置
６  搬送路
７  小物品
８  物品滞留手段
９  供給部
１０  搬送手段
１１  受取手段
１２  遊技路
２５  遊技手段
２９  物品提供手段
３２  閉鎖板
３９  線材
５０  駆動手段
５９  ロック手段
６０  解除手段
Ｐ１  始点位置
Ｐ２  終点位置
【図１】
2008125714.tif 000003
【図２】
2008125714.tif 000004
【図３】
2008125714.tif 000005
【図４】
2008125714.tif 000006
【図５】
2008125714.tif 000007
【図６】
2008125714.tif 000008
【図７】
2008125714.tif 000009
【図８】
2008125714.tif 000010
【図９】
2008125714.tif 000011
【図１０】
2008125714.tif 000012
【図１１】
2008125714.tif 000013
【図１２】
2008125714.tif 000014
【図１３】
2008125714.tif 000015
【図１４】
2008125714.tif 000016
【図１５】
2008125714.tif 000017
【図１６】
2008125714.tif 000018
【図１７】
2008125714.tif 000019
【図１８】
2008125714.tif 000020
【図１９】
2008125714.tif 000021
【図２０】
2008125714.tif 000022
【図２１】
2008125714.tif 000023
【図２２】
2008125714.tif 000024